(57)【要約】【課題】油脂汚れに対する洗浄力、壁面等の垂直面に対する泡保持性、発泡性に優れ、すすぎ時の泡切れ性が良好で、飲料・食品製造工場、厨房の洗浄を効果的に行うことのできる発泡洗浄剤組成物を提供する。【解決手段】本発明の発泡洗浄剤組成物は、（Ａ）成分として炭化水素基の炭素数８〜１８のアルキルジメチルアミンオキシド及び／又は炭化水素基の炭素数８〜１８のアルケニルジメチルアミンオキシド、（Ｂ）成分としてアルカリ剤、（Ｃ）成分として炭素数１２〜２４の分岐脂肪酸及び／又はその塩、（Ｄ）成分として水、を含有し、質量比で（Ａ）成分／（Ｃ）成分の値が０．１以上、２０以下であることを特徴とする。【選択図】なし【特許請求の範囲】
【請求項１】
（Ａ）成分として炭化水素基の炭素数８〜１８のアルキルジメチルアミンオキシド及び／又は炭化水素基の炭素数８〜１８のアルケニルジメチルアミンオキシド、
（Ｂ）成分としてアルカリ剤、
（Ｃ）成分として炭素数１２〜２４の分岐脂肪酸及び／又はその塩、
（Ｄ）成分として水、
を含有し、質量比で（Ａ）成分／（Ｃ）成分の値が０．１以上、２０以下であることを特徴とする発泡洗浄剤組成物。
【請求項２】
（Ａ）成分が、ドデシルジメチルアミンオキシド又はテトラデシルジメチルアミンオキシドより選ばれた少なくとも一種を含む請求項１記載の発泡洗浄剤組成物。
【請求項３】
（Ａ）成分が、オクチルジメチルアミンオキシドを含む請求項１又は２のいずれか一項に記載の発泡洗浄剤組成物。
【請求項４】
（Ｃ）成分が、イソパルミチン酸又はその塩、イソステアリン酸又はその塩、イソアラキン酸又はその塩より選ばれた少なくとも一種を含む請求項１〜３のいずれか一項に記載の発泡洗浄剤組成物。
【請求項５】
さらに（Ｅ）成分として、炭素数１２〜１６の直鎖脂肪酸及び／又はその塩を含有する請求項１〜４のいずれか一項に記載の発泡洗浄剤組成物。
【請求項６】
さらに（Ｆ）成分として、酸化剤を含有する請求項１〜５のいずれかに一項に記載の発泡洗浄剤組成物。
【請求項７】
（Ｆ）成分が次亜塩素酸アルカリ金属塩である請求項６記載の発泡洗浄剤組成物。
【請求項８】
さらに（Ｇ）成分として、有機ホスホン酸又はその塩、縮合リン酸又はその塩より選ばれた少なくとも一種を含有し、質量比で（Ｃ）成分／（Ｇ）成分の値が０．０２以上、２０以下である請求項１〜７のいずれか一項に記載の発泡洗浄剤組成物。
【請求項９】
（Ｇ）成分が、２−ホスホノブタン−１，２，４−トリカルボン酸又はその塩、１−ヒドロキシエチリデン−１，１−ジホスホン酸又はその塩、ビス（ポリ−２−カルボキシエチル）ホスフィン酸又はその塩、ホスフィノカルボン酸共重合物又はその塩、トリポリリン酸、トリポリリン酸ナトリウム、トリポリリン酸カリウムより選ばれた少なくとも一種である請求項８記載の発泡洗浄剤組成物。
【請求項１０】
さらに、（Ｈ）成分として、芳香族スルホン酸及び／又はその塩を含有し、質量比で（Ａ）成分／（Ｈ）成分の値が０．０５以上、５０以下であることを特徴とする請求項１〜９のいずれか一項に記載の発泡洗浄剤組成物。
【請求項１１】
さらに、（Ｉ）成分として、アニオン界面活性剤を含有することを特徴とする請求項１〜１０のいずれか一項に記載の発泡洗浄剤組成物。
【請求項１２】
（Ｉ）成分が炭素数８〜１８の炭化水素基を有するアルキルベンゼンスルホン酸及び／又はその塩、炭素数８〜１６の炭化水素基を有するアルキル硫酸塩、炭素数８〜１６の炭化水素基を有するアルキルジフェニルエーテルジスルホン酸塩、炭素数１２〜１８の炭化水素基を有するαオレフィンスルホン酸及び／又はその塩より選ばれた少なくとも１種であることを特徴とする請求項１１記載の発泡洗浄剤組成物。
【発明の詳細な説明】
【技術分野】
【０００１】
本発明は、主に調理設備及び食品加工設備で使用することができ、洗浄性、発泡性、垂直面の泡保持性、有効塩素安定性、希釈液安定性、貯蔵安定性に優れ、かつ、すすぎ時の泡切れ性に優れた液体洗浄剤組成物に関するものである。
【背景技術】
【０００２】
飲料・食品製造工場や厨房に使用される洗剤には、高い洗浄効果が要求されるが、食中毒やその他の病原菌への対策として除菌効果も要求されている。製造環境を衛生的に保つため、並びに製造機器を介した異物混入や交差汚染の防止ために、壁、床等の施設や充填機、フリーザー等の製造関連機器をアルカリ性の洗浄剤を用いて洗浄している。その際に洗浄性及び除菌性向上のために次亜塩素酸のアルカリ金属塩を添加し、さらに被洗浄物への洗浄剤付着時間を向上させるために発泡性を持たせた発泡洗浄剤に圧縮空気を混合させ泡状にして吹きつける洗浄方法が一般的である。
【０００３】
被洗浄物に付着した発泡洗浄剤は水ですすぎ流し落とすが、すすぎの際に泡切れが悪く、多量の水を用いる必要があり、作業時間、経済性の点に課題があった。そのため近年では高い洗浄性だけでなくすすぎ時の泡切れ性に優れ、作業時間の短縮が可能な発泡洗浄剤が強く求められている。
【０００４】
従来の発泡洗浄剤としては、特許文献１には、酸化性ハロゲン酸、炭化水素基の炭素数８〜１４のアミンオキサイド型界面活性剤、炭素数１２〜１４の脂肪酸を含有する起泡性、泡安定性、泡切れ性に優れた洗浄剤組成物が開示されている。また、特許文献２には、アルカリ剤とアニオン界面活性剤、炭素原子数が８〜１８のアルキル基を有するアルキルジメチルアミンオキサイド、炭素原子数６〜１４の脂肪酸又はその塩を必須成分として含有し、さらに塩素系酸化剤を添加した優れた付着性を示す発泡洗浄剤組成物が開示されている。
【先行技術文献】
【特許文献】
【０００５】
【特許文献１】特許第６０１３７２１号
【特許文献２】特許第５９７７０８６号
【発明の概要】
【発明が解決しようとする課題】
【０００６】
しかしながら、特許文献１記載の洗浄剤組成物は、垂直面における付着性は弱く、時間経過とともに液垂れしてしまい、垂直な壁面等での洗浄力に難があった。また、特許文献２記載の洗浄剤組成物は、泡切れが悪く、すすぎ性に難があった。
【課題を解決するための手段】
【０００７】
上記課題を解決するために、本発明者等は鋭意検討した結果、（Ａ）成分として炭化水素基の炭素数８〜１８のアルキルジメチルアミンオキシド及び／又は炭化水素基の炭素数８〜１８のアルケニルジメチルアミンオキシド、（Ｂ）成分としてアルカリ剤、（Ｃ）成分として炭素数１２〜２４の分岐脂肪酸及び／又はその塩、（Ｄ）成分として水を含有し、質量比で（Ａ）成分／（Ｃ）成分の値が０．１以上、２０以下である発泡洗浄剤組成物が、上記従来の課題を解決できることを見出し、本発明を完成するに至った。
【０００８】
即ち本発明は、
（１）（Ａ）成分として炭化水素基の炭素数８〜１８のアルキルジメチルアミンオキシド及び／又は炭化水素基の炭素数８〜１８のアルケニルジメチルアミンオキシド、（Ｂ）成分としてアルカリ剤、（Ｃ）成分として炭素数１２〜２４の分岐脂肪酸及び／又はその塩、（Ｄ）成分として水、を含有し、質量比で（Ａ）成分／（Ｃ）成分の値が０．１以上、２０以下であることを特徴とする発泡洗浄剤組成物、
（２）（Ａ）成分が、ドデシルジメチルアミンオキシド又はテトラデシルジメチルアミンオキシドより選ばれた少なくとも一種を含む上記（１）の発泡洗浄剤組成物、
（３）（Ａ）成分が、オクチルジメチルアミンオキシドを含む上記（１）又は（２）のいずれかの発泡洗浄剤組成物、
（４）（Ｃ）成分が、イソパルミチン酸又はその塩、イソステアリン酸又はその塩、イソアラキン酸又はその塩より選ばれた少なくとも一種を含む上記（１）〜（３）のいずれかの発泡洗浄剤組成物、
（５）さらに（Ｅ）成分として、炭素数１２〜１６の直鎖脂肪酸及び／又はその塩を含有する上記（１）〜（４）のいずれかの発泡洗浄剤組成物、
（６）さらに（Ｆ）成分として、酸化剤を含有する上記（１）〜（５）のいずれかの発泡洗浄剤組成物、
（７）（Ｆ）成分が次亜塩素酸アルカリ金属塩である上記（６）の発泡洗浄剤組成物、
（８）さらに（Ｇ）成分として、有機ホスホン酸又はその塩、縮合リン酸又はその塩より選ばれた少なくとも一種を含有し、質量比で（Ｃ）成分／（Ｇ）成分の値が０．０２以上、２０以下である上記（１）〜（７）のいずれかの発泡洗浄剤組成物、
（９）（Ｇ）成分が、２−ホスホノブタン−１，２，４−トリカルボン酸又はその塩、１−ヒドロキシエチリデン−１，１−ジホスホン酸又はその塩、ビス（ポリ−２−カルボキシエチル）ホスフィン酸又はその塩、ホスフィノカルボン酸共重合物又はその塩、トリポリリン酸、トリポリリン酸ナトリウム、トリポリリン酸カリウムより選ばれた少なくとも一種である上記（８）の発泡洗浄剤組成物、
（１０）さらに、（Ｈ）成分として、芳香族スルホン酸及び／又はその塩を含有し、質量比で（Ａ）成分／（Ｈ）成分の値が０．０５以上、５０以下であることを特徴とする上記（１）〜（９）のいずれかの発泡洗浄剤組成物、
（１１）さらに、（Ｉ）成分として、アニオン界面活性剤を含有することを特徴とする上記（１）〜（１０）のいずれかの発泡洗浄剤組成物、
（１２）（Ｉ）成分が炭素数８〜１８の炭化水素基を有するアルキルベンゼンスルホン酸及び／又はその塩、炭素数８〜１６の炭化水素基を有するアルキル硫酸塩、炭素数８〜１６の炭化水素基を有するアルキルジフェニルエーテルジスルホン酸塩、炭素数１２〜１８の炭化水素基を有するαオレフィンスルホン酸及び／又はその塩より選ばれた少なくとも１種であることを特徴とする上記（１１）の発泡洗浄剤組成物、
を要旨とするものである。
【発明の効果】
【０００９】
本発明の発泡洗浄剤組成物は、油脂汚れに対する洗浄力、壁面等の垂直面に対する泡保持性、発泡性に優れ、すすぎ時の泡切れ性も良好であり、飲料・食品製造工場や厨房の洗浄を効果的に行うことができる。
【発明を実施するための形態】
【００１０】
本発明の発泡洗浄剤組成物における（Ａ）成分の炭化水素基の炭素数８〜１８のアルキルジメチルアミンオキシドとしては、オクチルジメチルアミンオキシド、ノニルジメチルアミンオキシド、デシルジメチルアミンオキシド、ウンデシルジメチルアミンオキシド、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド等が挙げられる。炭化水素基の炭素数８〜１８のアルケニルジメチルアミンオキシドとしては、オクテニルジメチルアミンオキシド、ノネニルジメチルアミンオキシド、デセニルジメチルアミンオキシド、ウンデセニルジメチルアミンオキシド、ドデセニルジメチルアミンオキシド、トリデセニルジメチルアミンオキシド、テトラデセニルジメチルアミンオキシド、ペンタデセニルジメチルアミンオキシド、ヘキサデセニルジメチルアミンオキシド、ヘプタデセニルジメチルアミンオキシド、オクタデセニルジメチルアミンオキシド等が挙げられる。これらのうち洗浄性、垂直面の泡保持性、発泡性の点でオクチルジメチルアミンオキシド、ノニルジメチルアミンオキシド、デシルジメチルアミンオキシド、ウンデシルジメチルアミンオキシド、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシドが好ましい。中でも炭化水素基の炭素数が１２〜１４であるアルキルジメチルアミンオキシドが洗浄性、垂直面の泡保持性、発泡性の点で好ましく、炭化水素基の炭素数が１４のアルキルジメチルアミンオキシドが特に好ましい。これらアルキルジメチルアミンオキシド、アルケニルジメチルアミンオキシドは単独で用いても、２種以上を組み合わせて用いても良いが、（Ａ）成分は、ドデシルジメチルアミンオキシド及び／又はテトラデシルジメチルアミンオキシドを含んでいることが好ましく、テトラデシルジメチルアミンオキシドを含んでいることが特に好ましい。また（Ａ）成分は垂直面の泡保持性、発泡性の点でオクチルジメチルアミンオキシドを含んでいることが好ましく、炭化水素基の炭素数が１２〜１４であるアルキルジメチルアミンオキシドとともに、オクチルジメチルアミンオキシドを含んでいると、発泡性が非常に良好となる。特に（Ａ）成分は、ドデシルジメチルアミンオキシド及び／又はテトラデシルジメチルアミンオキシドと、オクチルジメチルアミンオキシドとを含んでいることが好ましい。
【００１１】
（Ａ）成分の発泡洗浄剤組成物中の割合は、０．１質量％以上、１０質量％以下であることが好ましいが、０．５質量％以上、７質量％以下であることがより好ましく、１質量％以上、５質量％以下が特に好ましい。（Ａ）成分の割合が０．１質量％未満であると洗浄性、垂直面の泡保持性、発泡性が低下する虞があり、１０質量％を超えると貯蔵安定性が低下する虞があり好ましくない。また、（Ａ）成分はテトラデシルジメチルアミンオキシドとオクチルジメチルアミンオキシドとを含むことが特に好ましく、この場合、オクチルジメチルアミンオキシドは、テトラデシルジメチルアミンオキシド１質量部に対して０．０５質量部以上、３質量部以下配合することが好ましく、０．１質量部以上、０．７質量部以下配合することがより好ましく、０．１５質量部以上、０．３質量部以下であることがさらに好ましい。（Ａ）成分がテトラデシルジメチルアミンオキシドとオクチルジメチルアミンオキシドとを含む場合、オクチルジメチルアミンオキシドがテトラデシルジメチルアミンオキシド１質量部に対して０．０５質量部未満であると、発泡性の向上効果が不十分となり、３質量部を超えてもそれ以上の相乗効果は期待できない。
【００１２】
（Ｂ）成分のアルカリ剤としては、アルカリ金属水酸化物、アルカリ金属炭酸塩、アルカリ金属珪酸塩等が挙げられる。アルカリ金属水酸化物としては、水酸化ナトリウム、水酸化カリウム、水酸化カルシウム、水酸化マグネシウム等が挙げられる。アルカリ金属炭酸塩としては、炭酸ナトリウム、炭酸カリウム、炭酸水素ナトリウム、及び炭酸水素カリウム等が挙げられる。アルカリ金属珪酸塩としては珪酸ナトリウム、珪酸カリウム、具体的には、オルト珪酸ナトリウム、メタ珪酸ナトリウム、１号珪酸ナトリウム、２号珪酸ナトリウム、３号珪酸ナトリウム、４号珪酸ナトリウム、１号珪酸カリウム、２号珪酸カリウムが挙げられる。これらは単独で用いても、２種以上を組み合わせても良い。これらアルカリ剤のうち、水酸化ナトリウム、水酸化カリウムが洗浄性の点で好ましい。（Ｂ）成分の発泡洗浄剤組成物中の割合は、０．１質量％以上、４０質量％以下であることが好ましいが、０．５質量％以上、２０質量％以下であることがより好ましく、１質量％以上、１０質量％以下であることが特に好ましい。（Ｂ）成分の割合が０．１質量％未満であると洗浄性が低下する虞があり、４０質量％を超えると貯蔵安定性が低下する虞があり好ましくない。
【００１３】
（Ｃ）成分の炭素数１２〜２４の分岐脂肪酸及び／又はその塩に於ける分岐脂肪酸としては、例えば２−メチルウンデカン酸、１０−メチルウンデカン酸等のイソラウリン酸；２，２−ジメチルドデカン酸、２，３−ジメチルドデカン酸、２−ブチル−３−メチルノナン酸等のイソミリスチン酸；２−メチルペンタデカン酸、３−メチルペンタデカン酸、２−ブチルドデカン酸、２−ブチルドデカン酸、２−ヘキシルデカン酸、２−ヘプチルノナン酸等のイソパルミチン酸；２−メチルヘプタデカン酸、２−エチルヘキサデカン酸、２−オクチルデカン酸、２，２−ジメチルヘキサデカン酸等のイソステアリン酸；３−メチルノナデカン酸、１８−メチルノナデカン酸、２，２−ジメチルオクタデカン酸、２，４−ジメチルオクタデカン酸、２−ブチル−２−ヘプチルノナン酸等のイソアラキン酸２０−メチルヘンエイコ酸等のイソベヘン酸；３−メチルトリコ酸等のイソリグノセリン酸等が挙げられる。分岐脂肪酸としては、高級アルコール工業株式会社製のイソステアリン酸ＥＸや、日産化学工業株式会社製の、多分岐型脂肪酸であるイソステアリン酸、イソステアリン酸Ｎ、イソステアリン酸Ｔ、イソパルミチン酸、イソアラキン酸等を用いることもできる。分岐脂肪酸の塩としては、ナトリウム塩、カリウム塩、カルシウム塩、マグネシウム塩、アンモニウム塩、アルカノールアミン塩等が挙げられるが、ナトリウム塩、カリウム塩が好ましい。（Ｃ）成分としては、垂直面の泡保持性、すすぎ性の点でイソパルミチン酸又はその塩、イソステアリン酸又はその塩、イソアラキン酸又はその塩が好ましく、イソアラキン酸又はその塩が特に好ましい。分岐脂肪酸又はその塩は単独で用いても、２種以上を組み合わせて用いても良い。
【００１４】
（Ｃ）成分の発泡洗浄剤組成物中の割合は、０．０１質量％以上、５質量％以下であることが好ましく、０．０５質量％以上、３質量％以下がより好ましく、０．１質量％以上、１質量％以下が特に好ましい。（Ｃ）成分は、質量比で（Ａ）成分／（Ｃ）成分の値が０．１以上、２０以下となるように配合するが、好ましくは１以上、１５以下、より好ましくは３以上、１０以下となるように配合する。（Ａ）成分／（Ｃ）成分の値が０．１未満であると発泡性、貯蔵安定性、希釈した洗浄液の安定性が低下する虞があり、２０を超えるとすすぎ性が低下する虞があり好ましくない。発泡洗浄剤組成物中の上記（Ｃ）成分の割合は、（Ｃ）成分中に分岐脂肪酸塩が含まれる場合は、分岐脂肪酸塩を分岐脂肪酸として換算した量より求めた割合である。
【００１５】
（Ｄ）成分の水としては、特に限定はなく、水道水、工業用水、再生水、イオン交換水、ＲＯ水、蒸留水、軟水等が挙げられる。これらは単独で用いても、２種以上を組み合わせても良いが、経済性の点から水道水が好ましい。水道水としては、例えば、東京都荒川区の水道水（ｐＨ＝７．６、総アルカリ度（炭酸カルシウム換算として）４０．５ｍｇ／Ｌ、ドイツ硬度２．３°ＤＨ（そのうち、カルシウム硬度１．７°ＤＨ、マグネシウム硬度０．６°ＤＨ）、塩化物イオン２１．９ｍｇ／Ｌ、ナトリウム及びその化合物１５ｍｇ／Ｌ、硝酸態窒素及び亜硝酸態窒素１．２ｍｇ／Ｌ、フッ素及びその化合物０．１ｍｇ／Ｌ、ホウ素及びその化合物０．０４ｍｇ／Ｌ、総トリハロメタン０．０１６ｍｇ／Ｌ、残留塩素０．４ｍｇ／Ｌ、有機物（全有機炭素量）０．７ｍｇ／Ｌ）が挙げられる。水は、発泡洗浄剤組成物全体が１００質量％となるように配合（必要に応じて後述する（Ｅ）成分〜（Ｉ）成分を配合する場合、これらを含めて全体が１００質量％となるように配合）されるものである。
【００１６】
本発明の発泡洗浄剤組成物は、更に（Ｅ）成分として炭素数１２〜１６の直鎖脂肪酸及び／又はその塩を配合することができる。炭素数１２〜１６の直鎖脂肪酸としては、ラウリン酸、ミリスチン酸、パルミチン酸、ラウロレイン酸、ミリストレイン酸、パルミトレイン酸等が挙げられるが、ミリスチン酸、パルミチン酸が好ましい。炭素数１２〜１６の直鎖脂肪酸の塩としては、ナトリウム塩、カリウム塩、カルシウム塩、マグネシウム塩、アンモニウム塩、アルカノールアミン塩等が挙げられるが、ナトリウム塩、カリウム塩が好ましい。これらは単独で用いても、２種以上を組み合わせて用いても良い。（Ｅ）成分の発泡洗浄剤組成物中の割合は、０．０１質量％以上、３質量％以下であることが好ましく、０．１質量％以上、１質量％以下であることが特に好ましい。（Ｅ）成分を０．０１質量％以上、３質量％以下で配合すると、すすぎ性が向上する。（Ｅ）成分の割合が０．０１質量％未満であると、すすぎ性の向上効果は不十分であり、３質量％を超える量配合してもそれ以上の添加効果が期待できない。また、（Ｅ）成分は（Ｃ）成分１質量部に対して０．１質量部以上、５質量部以下で配合することが好ましく、０．７５質量部以上、１．６質量部以下配合することが特に好ましい。発泡洗浄剤組成物中の上記（Ｅ）成分の割合は、（Ｅ）成分中に直鎖脂肪酸塩が含まれる場合は、直鎖脂肪酸塩を直鎖脂肪酸として換算した量より求めた割合である。
【００１７】
本発明の発泡洗浄剤組成物は、更に（Ｆ）成分として酸化剤を配合することができる。酸化剤としては、次亜塩素酸アルカリ金属塩、亜塩素酸アルカリ金属塩、イソシアヌル酸塩、過炭酸塩、過ホウ酸塩等が挙げられるが、次亜塩素酸ナトリウム、次亜塩素酸カリウム等の次亜塩素酸アルカリ金属塩が好ましく、入手のしやすさ及び洗浄性の点から次亜塩素酸ナトリウムが好ましい。次亜塩素酸ナトリウムとしては、通常、市販の低食塩タイプのものを用いることが好ましく、例えば、商品名：低食塩ジアソー（有効塩素１２％以上、食塩４％以下、遊離アルカリ２％以下、日本軽金属社製）、商品名：次亜塩素酸ソーダ（低食塩、食品添加物）（有効塩素１２％以上、食塩４％以下、遊離アルカリ１％以下、旭硝子社製）等が挙げられる。これら市販の次亜塩素酸ナトリウムは、通常、有効塩素濃度６〜１３％の次亜塩素酸ナトリウムを主成分とし、水酸化ナトリウム、炭酸ナトリウム等のアルカリ剤０．１〜２％、塩化ナトリウム１〜４％を含有しているものである。（Ｆ）成分の酸化剤は単独で用いても、２種以上を組み合わせて用いても良い。（Ｆ）成分の発泡洗浄剤組成物中の割合は、０．１質量％以上、１０質量％以下であることが好ましく、２質量％以上、５質量％以下であることが特に好ましい。発泡洗浄剤組成物中に（Ｆ）成分を０．１質量％以上、１０質量％以下で配合すると、除菌性、洗浄性が向上する。（Ｆ）成分の割合が０．１質量％未満であると、除菌性の向上効果は不十分であり、１０質量％を超える量配合しても有効塩素安定性が期待できない。
【００１８】
さらに本発明の発泡洗浄剤組成物は、（Ｇ）成分として有機ホスホン酸又はその塩、縮合リン酸又はその塩より選ばれた少なくとも一種を配合することができる。有機ホスホン酸又はその塩としては、２−ホスホノブタン−１，２，４−トリカルボン酸又はその塩、１−ヒドロキシエチリデン−１，１−ジホスホン酸又はその塩、ビス（ポリ−２−カルボキシエチル）ホスフィン酸又はその塩、ホスフィノカルボン酸共重合物又はその塩等が好ましく、これらの塩としてはナトリウム塩、カリウム塩等が挙げられる。また縮合リン酸又はその塩としては、トリポリリン酸、トリポリリン酸ナトリウム、トリポリリン酸カリウムが好ましい。これらは単独で用いても、２種以上を組み合わせて用いても良い。（Ｇ）成分の発泡洗浄剤組成物中の割合は０．１質量％以上、１０質量％以下であることが好ましく、２質量％以上、７質量％以下であることが特に好ましい。（Ｇ）成分を０．１質量％以上、１０質量％以下で配合すると、金属腐食防止性、希釈した洗浄液の安定性が向上する。（Ｇ）成分の割合が０．１質量％未満であると、金属腐食防止性、希釈した洗浄液の安定性の向上効果は不十分であり、１０質量％を超える量配合してもそれ以上の添加効果が期待できない。さらに（Ｇ）を発泡洗浄剤組成物中に配合する場合、質量比で（Ｃ）成分／（Ｇ）成分の値が０．０２以上、２０以下となるように配合することが好ましく、０．０３以上、１０以下とすることがさらに好ましく、０．０５以上、５以下とすることが特に好ましい。（Ｃ）成分／（Ｇ）成分の値が０．０２以上、２０以下となるように（Ｇ）成分を配合すると、すすぎ性、垂直面の泡保持性、金属腐食防止性、希釈した洗浄液の安定性、貯蔵安定性が向上する。発泡洗浄剤組成物中の上記（Ｇ）成分の割合は、（Ｇ）成分中に有機ホスホン酸塩及び／又は縮合リン酸塩が含まれる場合は、有機ホスホン酸塩、縮合リン酸塩を、それぞれ有機ホスホン酸、縮合リン酸として換算した量より求めた割合である。
【００１９】
さらに本発明の発泡洗浄剤組成物は、原液粘度を低下させるために（Ｈ）成分として芳香族スルホン酸及び／又はその塩の少なくとも一種を配合することができる。芳香族スルホン酸としては、キシレンスルホン酸、トルエンスルホン酸、クメンスルホン酸、ベンゼンスルホン酸、置換もしくは非置換ナフタレンスルホン酸等が挙げられるが、キシレンスルホン酸、トルエンスルホン酸が好ましく、キシレンスルホン酸が特に好ましい。芳香族スルホン酸塩としては、ナトリウム塩、カリウム塩、カルシウム塩、マグネシウム塩、アンモニウム塩、アルカノールアミン塩等が挙げられる。これらは単独で用いても、２種以上を組み合わせて用いても良い。（Ｈ）成分の発泡洗浄剤組成物中の割合は０．１質量％以上、１０質量％以下であることが好ましく、１質量％以上、５質量％以下であることが特に好ましい。発泡洗浄剤組成物中に（Ｈ）成分を０．１質量％以上、１０質量％以下となるように配合すると、原液粘度が低下し発泡洗浄剤組成物を発泡装置で使用する際に適正な濃度で供給することができる。発泡洗浄剤組成物中の（Ｈ）成分の割合が０．１質量％未満であると原液粘度は十分に低下しない虞があり、発泡装置で使用する際に適正な濃度で供給できない虞がある。また（Ｈ）成分を１０質量％を超える量配合してもそれ以上の添加効果が期待できない。さらに（Ｈ）成分を発泡洗浄剤組成物中に配合する場合、質量比で（Ａ）成分／（Ｈ）成分の値が０．０５以上、５０以下となるように配合することが好ましく、０．１以上、３０以下とすることがさらに好ましく、０．４以上、２０以下とすることが特に好ましい。（Ａ）成分／（Ｈ）成分の値を０．０５以上、５０以下となるように配合すると原液粘度が低下し良好となる。発泡洗浄剤組成物中の上記（Ｈ）分の割合は、（Ｈ）分中に芳香族スルホン酸塩が含まれる場合は、芳香族スルホン酸塩を芳香族スルホン酸として換算した量より求めた割合である。
【００２０】
本発明の発泡洗浄剤組成物には、さらに（Ｉ）成分として少なくとも一種のアニオン界面活性剤を配合することができる。アニオン界面活性剤としては、炭素数８〜１８の炭化水素基を有するアルキルベンゼンスルホン酸及び／又はその塩、炭素数８〜１６の炭化水素基を有するアルキル硫酸塩、炭素数８〜１６の炭化水素基を有するアルキルジフェニルエーテルジスルホン酸塩、炭素数１２〜１８の炭化水素基を有するαオレフィンスルホン酸及び／又はその塩が好ましい。これらの中でも、特にアルキルベンゼンスルホン酸及び／又はその塩が好ましい。これらは単独で用いても、２種以上を組み合わせて用いても良い。（Ｉ）成分の発泡洗浄剤組成物中の割合は０．１質量％以上、５質量％以下であることが好ましく、０．５質量％以上、３質量％以下であることが特に好ましい。発泡洗浄剤組成物中に（Ｉ）成分を０．１質量％以上、５質量％以下で配合すると、洗浄性、垂直面の泡保持性、発泡性が向上する。（Ｉ）成分の割合が０．１質量％未満であると洗浄性、垂直面の泡保持性、発泡性の向上効果は不十分であり、５質量％を超える量配合してもそれ以上の添加効果が期待できない。
【００２１】
本発明の発泡洗浄剤組成物は、本発明の効果を損なわない範囲で、必要に応じ当該技術分野で通常使用される他の成分を含有していてもよい。このような成分としては、高分子分散剤、増粘剤、色素、殺菌剤等が挙げられる。
【００２２】
本発明の発泡洗浄剤組成物は、原液もしくは水で１倍を超えて１００倍以下の希釈倍率で予め希釈したものを被洗浄物に泡状に噴射する方法、希釈しながら被洗浄物に泡状に噴射する方法、あるいは、原液や予め希釈した液を噴射する方法と原液を希釈しながら噴射する方法とを組み合わせる等の方法により被洗浄物に供給して洗浄を行うことができる。洗浄時に（Ａ）成分の濃度が０．００３質量％以上、１質量％以下となるように調製することが好ましく、（Ａ）成分の濃度は０．０１質量％以上、０．５質量％以下であることがより好ましく、０．０５質量％以上、０．３質量％以下であることが特に好ましい。希釈液中の（Ａ）成分が０．００３質量％未満であると十分な洗浄性、垂直面の泡保持性、発泡性が得られず、１質量％を超えるとすすぎ性が不十分となる虞がある。希釈液は発泡装置等を用いて発泡させ、比重０．０５〜０．９ｇ／立方センチメートルの泡または泡と液の混合物、好ましくは０．０８〜０．３ｇ／立方センチメートルの泡または泡と液の混合物として被洗浄物表面に吹き付ける。さらに、被洗浄物に吹き付けた後静置、好ましくは３０秒〜１０分間静置してすすぎを行うか、又はブラシやスポンジ等を用いて擦り洗いした後すすぎを行うことが好ましい。
【００２３】
発泡装置としてはエア駆動式ダイアフラムポンプにて送液し、圧縮空気と発泡洗浄剤組成物の希釈液を混合して発泡並びに噴霧する装置を用いることができ、例えば、ＤＥＭＡ社製９１０  ＰＯＲＴＡＢＬＥ  ＦＯＡＭＥＲが使用できる。供給エア圧としては３０〜８０ＰＳＩが好ましく、４０〜６０ＰＳＩがより好ましい。
【００２４】
ここで、発泡洗浄剤組成物を希釈するために使用される水としては、発泡洗浄剤における（Ｄ）成分と同様の水を用いることができるが、一般的には水道水のような硬度成分を含有する水を使用することが想定され、水道水は、ｐＨ＝５．８〜８．６、総アルカリ度が、ドイツ硬度０〜１６．７°ＤＨ、塩化物イオン０〜２００ｍｇ／Ｌ、ナトリウム及びその化合物０〜２００ｍｇ／Ｌ、硝酸態窒素及び亜硝酸態窒素０〜１０ｍｇ／Ｌ、フッ素及びその化合物０〜０．８ｍｇ／Ｌ、ホウ素及びその化合物０〜１．０ｍｇ／Ｌ、総トリハロメタン０〜０．１ｍｇ／Ｌ、残留塩素０〜１ｍｇ／Ｌ、有機物量（全有機炭素量）０〜３ｍｇ／Ｌであれば、本発明の発泡洗浄剤組成物の希釈用として使用することができる。また総アルカリ度は特に制限はないが、工業用水道供給標準水質として記載されている０〜７５ｍｇ／Ｌ（炭酸カルシウム換算として）が好ましい。
【実施例】
【００２５】
以下、本発明を実施例と比較例により具体的に説明する。実施例、比較例において配合に用いた各成分を下記に示す。
【００２６】
（Ａ）成分
Ａ−１：デシルジメチルアミンオキシド
Ａ−２：ヘキサデシルジメチルアミンオキシド
Ａ−３：ドデシルジメチルアミンオキシド
Ａ−４：テトラデシルジメチルアミンオキシド
Ａ−５：オクチルジメチルアミンオキシド
【００２７】
（Ｂ）成分
Ｂ−１：水酸化ナトリウム
Ｂ−２：水酸化カリウム
Ｂ−３：炭酸カリウム
Ｂ−４：珪酸カリウム（日本化学工業社製  Ａ珪酸カリ）、純分４０％、ＳｉＯ2／Ｋ2Ｏ＝３．０（モル比）、ＳｉＯ2として２６．５％
【００２８】
（Ｃ）成分
Ｃ−１：イソパルミチン酸カリウム  （日産化学工業社製  イソパルミチン酸を中和したもの）
Ｃ−２ａ：イソステアリン酸ナトリウム  （日産化学工業社製  イソステアリン酸Ｎを中和したもの）
Ｃ−２ｂ：イソステアリン酸カリウム  （日産化学工業社製  イソステアリン酸Ｎを中和したもの）
Ｃ−３：イソアラキン酸カリウム  （日産化学工業社製  イソアラキン酸を中和したもの）
【００２９】
（Ｄ）成分
Ｄ−１：イオン交換水
【００３０】
（Ｅ）成分
Ｅ−１ａ：ラウリン酸ナトリウム（花王社製  ルナック  Ｌ−９８を中和したもの）
Ｅ−１ｂ：ラウリン酸カリウム（花王社製  ルナック  Ｌ−９８を中和したもの）
Ｅ−２：ミリスチン酸カリウム（花王社製  ルナック  ＭＹ−９８を中和したもの）
Ｅ−３：パルミチン酸カリウム（花王社製  ルナック  Ｐ−９５を中和したもの）
【００３１】
（Ｆ）成分
Ｆ−１：次亜塩素酸ナトリウム
Ｆ−２：次亜塩素酸カリウム
Ｆ−３：亜塩素酸ナトリウム
【００３２】
（Ｇ）成分
Ｇ−１ａ：２−ホスホノブタン１，２，４−トリカルボン酸ナトリウム（ＢＷＡ社製  Ｂｅｌｃｌｅｎｅ ６５０を中和したもの）
Ｇ−１ｂ：２−ホスホノブタン１，２，４−トリカルボン酸カリウム（ＢＷＡ社製  Ｂｅｌｃｌｅｎｅ ６５０を中和したもの）
Ｇ−２：１−ヒドロキシエチリデン−１，１−ジホスホン酸カリウム (サーモフォスジャパン社製  ディクエスト２０１０を中和したもの)
Ｇ−３：トリポリリン酸ナトリウム
Ｇ−４：トリポリリン酸カリウム
【００３３】
（Ｈ）成分
Ｈ−１：メタキシレンスルホン酸ナトリウム
Ｈ−２：p-トルエンスルホン酸ナトリウム
【００３４】
（Ｉ）成分
Ｉ−１：オクチル硫酸ナトリウム  （三洋化成工業社製  サンデット  ＯＨＥ）
Ｉ−２：ラウリル硫酸ナトリウム（花王社製  エマール  １０ＰＴ）
Ｉ−３：ラウリルベンゼンスルホン酸ナトリウム（テイカ社製  テイカパワーＬ１２１）
Ｉ−４：アルキルジフェニルエーテルジスルホン酸ナトリウム（三洋化成工業社製  サンデットＡＬＨ）
Ｉ−５：２級アルカンスルホン酸ナトリウム（クラリアントジャパン社製  ＨＯＳＴＡＰＵＲ  ＳＡＳ３０）
【００３５】
実施例１〜１０９、比較例１〜７
表１〜１２に示す配合に基づき発泡洗浄剤組成物を調製した。各発泡洗浄剤組成物の性状及び各発泡洗浄剤組成物を希釈した希釈した洗浄液の性状を表１〜１２にあわせて示す。尚、表中における実施例および比較例の配合の数値は純分の質量％を表す。
【００３６】
【表１】
2018168328.tif 000002
【００３７】
【表２】
2018168328.tif 000003
【００３８】
【表３】
2018168328.tif 000004
【００３９】
【表４】
2018168328.tif 000005
【００４０】
【表５】
2018168328.tif 000006
【００４１】
【表６】
2018168328.tif 000007
【００４２】
【表７】
2018168328.tif 000008
【００４３】
【表８】
2018168328.tif 000009
【００４４】
【表９】
2018168328.tif 000010
【００４５】
【表１０】
2018168328.tif 000011
【００４６】
【表１１】
2018168328.tif 000012
【００４７】
【表１２】
2018168328.tif 000013
【００４８】
※１：原液粘度の測定方法
粘度の測定方法は、２５℃にてＢ型粘度計（ＢＭ型、東京計器製）を用いて、ローターＮｏ．１のものを用い、回転数６０ｒｐｍで回転し、各発泡洗浄剤組成物（原液）の回転開始から３００秒後の粘度を測定し、粘度測定値より、以下の基準で評価した。
評価基準：
◎：粘度１以上、２０未満
○：粘度２０以上、５０未満
△：粘度５０以上、１００未満
×：粘度１００以上
（単位はｍＰａ・Ｓ）
とし、△、○、◎を実用性のあるものとして判定した。
【００４９】
※２：すすぎ性試験（すすぎ時の泡切れ性評価試験）
試験方法：
炭酸カルシウム換算で７５ｍｇ／Ｌ［ドイツ硬度４．２°ＤＨ］の硬水で、各発泡洗浄剤組成物を２０℃で３質量％に希釈して調製した洗浄液を、ＤＥＭＡ社製９１０  ＰＯＲＴＡＢＬＥ  ＦＯＡＭＥＲを用いて、比重０．１５ｇ／立方センチメートルの泡状に発泡させた後、ステンレス製ボックス［ステンレス（ＳＵＳ３０４）］の下部（縦５００ｍｍ、横幅７００ｍｍ）に１０秒間噴霧し、一分経過後に炭酸カルシウム換算で７５ｍｇ／Ｌ［ドイツ硬度４．２°ＤＨ］の硬水ですすぎ（シャワーノズル）を行い、ステンレス製ボックス下部中央の排水口（直径５０ｍｍ、内部に４０メッシュのポリエチレン網あり）周辺から泡が消えるまでのすすぎ時間について次の尺度で判定した。
評価基準：
◎：６０秒未満
○：６０秒以上、９０秒未満
△：９０秒以上、１２０秒未満
×：１２０秒以上
とし、△、○、◎を実用性のあるものとして判定した。
【００５０】
※３：垂直面の泡保持性試験
炭酸カルシウム換算で７５ｍｇ／Ｌ［ドイツ硬度４．２°ＤＨ］の硬水で、各発泡洗浄剤組成物を２０℃で３質量％に希釈して調製した洗浄液を、ＤＥＭＡ社製９１０  ＰＯＲＴＡＢＬＥ  ＦＯＡＭＥＲを用いて、比重０．１５ｇ／立方センチメートルの泡状に発泡させた後、ステンレス板［ステンレス（ＳＵＳ３０４）］垂直面の縦１ｍ、横１ｍの範囲に対して、２ｃｍ以下の泡の厚みとなるように吹付け、３分経過後の垂直壁面への付着具合（泡が残っている面積）を目視により以下の基準で評価した。
評価基準：
◎：泡の保持が８０％以上
○：泡の保持が６５％以上、８０％未満
△：泡の保持が５０％以上、６５％未満
×：泡の保持が５０％未満
とし、△、○、◎を実用性のあるものとして判定した。
【００５１】
※４：希釈した洗浄液の発泡性試験
炭酸カルシウム換算で７５ｍｇ／Ｌ［ドイツ硬度４．２°ＤＨ］の硬水で、各発泡洗浄剤組成物を２０℃で３質量％に希釈して調製した洗浄液を、ＤＥＭＡ社製９１０  ＰＯＲＴＡＢＬＥ  ＦＯＡＭＥＲを用いて、比重０．１５ｇ／立方センチメートルの泡状に発泡させた後、ステンレス板［ステンレス（ＳＵＳ３０４）］垂直面の縦１ｍ、横１ｍの範囲に１０秒間噴射し、目視により泡の状態を観察し、評価した。
評価基準：
◎：水っぽくきめ細かい泡
○：水っぽくないきめ細かい泡
△：水っぽくきめの粗い泡
×：泡にならない
とし、△、○、◎を実用性のあるものとして判定した。
【００５２】
※５：洗浄性評価試験
（１）洗浄力試験（牛脂汚れ）
試験方法：
ステンレス片［ステンレス（ＳＵＳ３０４）、縦７０ｍｍ×横６０ｍｍ×厚さ１ｍｍ］に油（牛脂５ｇ、スダンIII０．１ｇをクロロホルム６０ｍＬに溶解したもの）を塗布し、２５℃で２時間乾燥させたものを試験片とし重量を測定した。この試験片を炭酸カルシウム換算で７５ｍｇ／Ｌ［ドイツ硬度４．２°ＤＨ］の硬水で、各発泡洗浄剤組成物を３質量％に希釈して調整した洗浄液２００ｍＬを、ＤＥＭＡ社製９１０  ＰＯＲＴＡＢＬＥ  ＦＯＡＭＥＲを用いて、比重０．１５ｇ／立方センチメートルの泡状に発泡させた後、垂直面に立て掛けた試験片の範囲に１０秒間噴射し、５分間放置した後、イオン交換水で１５秒間すすぎ、自然乾燥させた後、重量を測定した。牛脂汚れの洗浄率を洗浄前後の試験片の重量変化により算出し、次の尺度で示した。
評価基準：
◎：洗浄率８０％以上
○：洗浄率６０％以上、８０％未満
△：洗浄率４０％以上、６０％未満
×：洗浄率４０％未満
とし、△、○、◎を実用性のあるものとして判定した。
【００５３】
（２）洗浄力試験（豚脂汚れ）
試験方法：
ステンレス片［ステンレス（ＳＵＳ３０４）、縦７０ｍｍ×横６０ｍｍ×厚さ１ｍｍ］に油（豚脂１０ｇ、スダンIII０．１ｇをクロロホルム６０ｍＬに溶解したもの）を塗布し
、２５℃で２時間乾燥させたものを試験片とし重量を測定した。この試験片を炭酸カルシウム換算で７５ｍｇ／Ｌ［ドイツ硬度４．２°ＤＨ］の硬水で、各発泡洗浄剤組成物を３質量％に希釈して調整した洗浄液２００ｍＬを、ＤＥＭＡ社製９１０  ＰＯＲＴＡＢＬＥ  ＦＯＡＭＥＲを用いて、比重０．１５ｇ／立方センチメートルの泡状に発泡させた後、垂直面に立て掛けた試験片の範囲に１０秒間噴射し、５分間放置した後、イオン交換水で１５秒間すすぎ、自然乾燥させた後、重量を測定した。豚脂汚れの洗浄率を洗浄前後の試験片の重量変化により算出し、次の尺度で示した。
評価基準：
◎：洗浄率８０％以上
○：洗浄率６０％以上、８０％未満
△：洗浄率４０％以上、６０％未満
×：洗浄率４０％未満
とし、△、○、◎を実用性のあるものとして判定した。
【００５４】
※６：除菌性試験（大腸菌）
試験方法：
各発泡洗浄剤組成物を炭酸カルシウム換算で、７５ｍｇ／Ｌ［ドイツ硬度４．２°ＤＨ］の硬水で３質量％に希釈して調製した洗浄液１０ｍＬに、終濃度１．５〜５．０×１０7（ＣＦＵ／ｍＬ）となるように菌液０．１ｍＬを添加し、２５℃にて５分間保持したものを試験液とした。この試験液１ｍＬをＳＣＤＬＰ寒天培地にて混和固化し、３７℃で２日間培養した。培養後、生菌数を測定し、初発菌数との差より、以下の基準で除菌性を評価した。
供試菌株：
財団法人発酵研究所のＥｓｃｈｅｒｉｃｈｉａ ｃｏｌｉ  ＮＢＲＣ３９７２を用いた。
評価基準
◎：供試菌のＬｏｇ  ｒｅｄｕｃｔｉｏｎが６以上
○：供試菌のＬｏｇ  ｒｅｄｕｃｔｉｏｎが４以上、６未満
△：供試菌のＬｏｇ  ｒｅｄｕｃｔｉｏｎが２以上、４未満
×：供試菌のＬｏｇ  ｒｅｄｕｃｔｉｏｎが２未満
とし、△、○、◎を実用性のあるものとして判定した。
【００５５】
※７：金属腐食防止性試験
試験方法：
試験片［ステンレス（ＳＵＳ３０４）、縦７０ｍｍ×横２０ｍｍ×厚さ１ｍｍ］は、予め中性洗剤で洗浄しアセトン処理して乾燥させたもの使用する。炭酸カルシウム換算で、７５ｍｇ／Ｌ［ドイツ硬度４．２°ＤＨ］の硬水で各発泡洗浄剤組成物を５質量％に希釈して調製した洗浄液１００ｍＬを、１００ｍＬ容量のポリプロピレン容器に入れ、その中に試験片を浸漬し、２５℃の恒温器内で２４時間保存した。保存後のテストピースを取り出し、イオン交換水にてすすぎ、乾燥させて、試験片表面の状態を目視により外観観察し、下記基準で腐食性を判定した。
評価基準：
○：腐食がない
△：やや腐食がみられるが、使用上問題ないレベル
×：腐食した
とし、△、○を実用性のあるものとして判定した。
【００５６】
※８：希釈した洗浄液の安定性試験
試験方法：
各発泡洗浄剤組成物を炭酸カルシウム換算で７５ｍｇ／Ｌ［ドイツ硬度４．２°ＤＨ］の硬水で３質量％に希釈して調製した洗浄液を作製し、作製から１５分以内に希釈した洗浄液に濁りが生じるか目視観察し、次の尺度で安定性を判定した。
評価基準：
◎：濁りを生じない
○：わずかに濁りを生じる
△：やや濁りを生じるが、使用上問題ないレベル
×：濁りを生じる
とし、△、○、◎を実用性のあるものとして判定した。
【００５７】
※９：貯蔵安定性試験
試験方法：
各発泡洗浄剤組成物１００ｇをポリプロピレン製容器に入れ、−５℃、２５℃、４０℃で１ヶ月静置した後に外観を観察した。
評価基準：
○：分離や濁りが見られず安定である
△：全体的な分離はないが、若干の濁りが見られる
×：分離もしくは濁りが見られる
とし、△、○を実用性のあるものとして判定した。
【００５８】
※１０：有効塩素安定性試験
試験方法：
各発泡洗浄剤組成物を４０℃で２週間保存し、その時の次亜塩素酸塩の保存安定性を有効塩素残存率から以下の基準で評価した。なお、有効塩素残存率はＪＩＳ法  ＪＩＳ  Ｋ−０１０１に基づき、以下に示す式により求めた。
有効塩素残存率（％）＝（保存後の組成物中の有効塩素濃度）／（保存前の組成物中の有効塩素濃度）×１００
評価基準：
◎：有効塩素残存率８０％以上
○：有効塩素残存率６５％以上、８０％未満
△：有効塩素残存率５０％以上、６５％未満
×：有効塩素残存率５０％未満
とし、△、○、◎を実用性のあるものとして判定した。